(57)【要約】【課題】  放射線撮影システムにおいて、撮影画像の複製に際して、ユーザの操作性を向上させることを目的とする。【解決手段】  撮影プロトコルに基づいて被検者を撮影し、撮影画像を生成する放射線撮影システムであって、生成された撮影画像を、該撮影画像の属性を示す画像情報を付帯させて記憶する記憶手段と、前記記憶された撮影画像を複製する指示がなされた場合に、該撮影画像と前記画像情報とを複製する複製手段と、前記複製された画像情報に含まれる各項目のうち、撮影画像ごとに異なる固有の項目について、複製された撮影画像に応じて変更することで、該複製された画像情報を変更する変更手段と、を備え、前記複製手段は、前記撮影画像と、該撮影画像の生成に際して用いられた撮影プロトコルとの関係に応じて、該撮影プロトコルの複製方法を切り換えることを特徴とする。【選択図】  図１
2014083123.tif 000002
【特許請求の範囲】
【請求項１】
撮影プロトコルに基づいて被検者を撮影し、撮影画像を生成する放射線撮影システムであって、
生成された撮影画像を、該撮影画像の属性を示す画像情報を付帯させて記憶する記憶手段と、
前記記憶手段に記憶された撮影画像を複製する指示がなされた場合に、該撮影画像と該撮影画像に付帯する画像情報とを複製する複製手段と、
前記複製手段により複製された画像情報に含まれる各項目のうち、撮影画像ごとに異なる固有の項目について、複製された撮影画像に応じた変更を行うことで、該複製された画像情報を変更する変更手段と、を備え、
前記複製手段は、前記複製する指示がなされた撮影画像と、該撮影画像の生成に際して用いられた撮影プロトコルとの関係に応じて、該撮影画像を複製する際の該撮影プロトコルの複製方法を切り換えることを特徴とする放射線撮影システム。
【請求項２】
前記複製手段は、前記複製する指示がなされた撮影画像と、該撮影画像の生成に際して用いられた撮影プロトコルとが、１対１に紐付けられた関係であった場合、該撮影画像の複製に際して、該撮影プロトコルを複製することを特徴とする請求項１に記載の放射線撮影システム。
【請求項３】
前記複製手段は、前記複製する指示がなされた撮影画像を含む複数の撮影画像と、該撮影画像の生成に際して用いられた撮影プロトコルとが、紐付けられた関係であった場合、前記複製された撮影画像を、該撮影プロトコルと紐付けることを特徴とする請求項１に記載の放射線撮影システム。
【請求項４】
前記複製手段は、複数の部分画像を合成してなるスティッチ合成画像に対して、複製する指示がなされた場合に、該スティッチ合成画像の複製に際して、該スティッチ合成画像を生成する複数の部分画像と、該複数の部分画像それぞれに紐付けられた撮影プロトコルとを複製することを特徴とする請求項１に記載の放射線撮影システム。
【請求項５】
前記変更手段により変更される前記画像情報の項目には、少なくとも、該画像情報が付帯された撮影画像が、外部に出力されたか否かを示す出力状態と、複製画像か否かを示す複製状態と、が含まれることを特徴とする請求項１乃至４のいずれか１項に記載の放射線撮影システム。
【請求項６】
撮影プロトコルに基づいて被検者を撮影し、撮影画像を生成した後に、再撮影し、再撮影画像を生成した場合において、該撮影画像を生成した際に用いられた撮影プロトコルと、該再撮影画像を生成した際に用いられた再撮影プロトコルとを関連付ける関連付け手段と、
前記画像情報に含まれる、撮影または再撮影の成否を示す成否状態の設定を変更する設定変更手段と、
前記設定変更手段により、撮影画像に付帯する画像情報に含まれる成否状態の設定が変更された場合に、前記関連付け手段により、該撮影画像を生成した際に用いられた撮影プロトコルと関連付けられた再撮影プロトコルを用いて生成された再撮影画像に付帯する画像情報に含まれる成否状態の設定を変更し、
前記設定変更手段により、再撮影画像に付帯する画像情報に含まれる成否状態の設定が変更された場合に、前記関連付け手段により、該再撮影画像を生成した際に用いられた撮影プロトコルと関連付けられた撮影プロトコルを用いて生成された撮影画像に付帯する画像情報に含まれる成否状態の設定を変更することを特徴とする請求項１に記載の放射線撮影システム。
【請求項７】
前記記憶手段に記憶された撮影画像を表示する表示手段を更に備え、
前記変更手段により変更される前記画像情報の項目には、前記表示手段により表示された撮影画像の表示順に従って付されるインスタンス番号が含まれることを特徴とする請求項５に記載の放射線撮影システム。
【請求項８】
前記表示手段は、前記出力状態を表す識別子と、前記複製状態を表す識別子とを表示することを特徴とする請求項７に記載の放射線撮影システム。
【請求項９】
前記記憶手段に記憶された撮影画像が生成される際の放射線量の合計値を算出する算出手段を更に備え、
前記算出手段は、前記画像情報に含まれる複製状態に基づいて複製画像でないと判断される撮影画像が付帯する画像情報に基づいて、前記放射線量の合計値を算出し、
前記表示手段は、前記算出手段により算出された合計値を表示することを特徴とする請求項７に記載の放射線撮影システム。
【請求項１０】
前記表示手段により表示された撮影画像のうちの一の撮影画像を選択する選択手段を更に備え、
前記表示手段は、前記選択手段により選択された前記一の撮影画像を表示することを特徴とする請求項７に記載の放射線撮影システム。
【請求項１１】
前記選択手段は、前記複製手段により複製された撮影画像を選択することを特徴とする請求項１０に記載の放射線撮影システム。
【請求項１２】
撮影プロトコルに基づいて被検者を撮影し、撮影画像を生成する放射線撮影システムにおける情報処理方法であって、
生成された撮影画像を、該撮影画像の属性を示す画像情報を付帯させて記憶手段に記憶する記憶工程と、
前記記憶手段に記憶された撮影画像を複製する指示がなされた場合に、該撮影画像と該撮影画像に付帯する画像情報とを複製する複製工程と、
前記複製工程において複製された画像情報に含まれる各項目のうち、撮影画像ごとに異なる固有の項目について、複製された撮影画像に応じた変更を行うことで、該複製された画像情報を変更する変更工程と、を備え、
前記複製工程は、前記複製する指示がなされた撮影画像と、該撮影画像の生成に際して用いられた撮影プロトコルとの関係に応じて、該撮影画像を複製する際の該撮影プロトコルの複製方法を切り換えることを特徴とする情報処理方法。
【請求項１３】
コンピュータを、請求項１乃至１１のいずれか１項に記載の放射線撮影システムの各手段として機能させるためのプログラム。
【発明の詳細な説明】
【技術分野】
【０００１】
本発明は、放射線撮影システムに関し、特に、放射線撮影システムにおいて、撮影画像を複製するための情報処理技術に関するものである。
【背景技術】
【０００２】
近年、病院では、ネットワーク接続による病院情報システムが構築されている。例えば、Ｘ線撮影が必要であると判断されると、ＨＩＳ（Ｈｏｓｐｉｔａｌ  Ｉｎｆｏｒｍａｔｉｏｎ  Ｓｙｓｔｅｍ）端末より検査指示を入力し、依頼先である放射線部門のＲＩＳ（Ｒａｄｉｏｌｏｇｙ  Ｉｎｆｏｒｍａｔｉｏｎ  Ｓｙｓｔｅｍ）に伝達される。この依頼情報を「検査情報」といい、この検査情報には依頼元の部門名や、検査項目、被検者情報などが含まれている。
【０００３】
放射線部門では検査情報を受信すると、撮影条件などを付加し、Ｘ線撮影装置へ出力する。Ｘ線撮影装置では受信した検査情報に従ってＸ線撮影を実施する。撮影された画像（撮影画像）は、部位ごとに予め決められた画像処理が施された後、表示部に表示される。また、検査情報に付与され、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）に出力されたり、プリンタに出力されたりする。
【０００４】
ここで、受信する検査情報によっては、１枚の撮影画像に対して異なる複数の画像処理を施す必要がある場合がある。例えば、検査項目が“じん肺検査”の場合、通常の画像処理を適用した撮影画像とは別に、じん肺検査用に決められた画像処理が適用される。このような場合、通常、操作者は、オリジナルの撮影画像は残したまま、じん肺検査用に決められた画像処理を適用することが多い。
【０００５】
つまり、１枚の撮影画像に対して異なる複数の画像処理を施す必要がある場合、撮影画像及び該撮影画像に付帯する「画像情報」（撮影画像の属性を示す情報）の複製が行われる。そして、複製元の撮影画像を残したまま、複製した撮影画像に対して異なる画像処理が施される（例えば、特許文献１参照）。
【先行技術文献】
【特許文献】
【０００６】
【特許文献１】特開２００９−７０２０１号公報
【発明の概要】
【発明が解決しようとする課題】
【０００７】
しかしながら、放射線撮影システムにおいて、撮影画像の複製を行う場合、撮影画像及びそれに付帯する画像情報をそのまま複製したのでは、かえって都合が悪い場合がある。具体例を挙げて以下に説明する。
【０００８】
例えば、撮影画像を生成する際の撮影条件や画像処理の内容を規定する「撮影プロトコル」と撮影画像との関係には、様々なタイプがあり、撮影画像を複製するにあたっては、これらの関係を考慮に入れる必要があるからである。
【０００９】
具体的には、撮影画像と撮影プロトコルとの関係には、撮影プロトコルと撮影画像とが１対１で紐付けられている場合と、撮影プロトコルが複数枚の撮影画像と紐付けられている場合とがある。更に、複数枚の撮影画像（部分画像）から生成される１枚の「スティッチ合成画像」にあっては、それぞれの部分画像の撮影に用いられた撮影プロトコル（つまり、複数の撮影プロトコル）とスティッチ合成画像とが紐付けられている。このため、撮影画像やスティッチ合成画像等の画像の複製に際しては、撮影プロトコルと画像との対応関係に応じた処理を行うことが不可欠となってくる。
【００１０】
また、撮影画像に付帯する画像情報の中には、そのまま複製できる項目とそうでない項目とが混在しており、画像情報が複製された場合には、更なる変更処理が必要となる。
【００１１】
例えば、画像情報のうち、出力状態情報（ＰＡＣＳ等へ撮影画像を出力したか否かを示す情報）については、複製元画像が既に出力されている場合にあっては“出力状態”となっている。しかし、複製画像については、画像情報を当該“出力状態”から“未出力状態”へと変更しておく必要がある。また、画像情報として、撮影画像それぞれに固有のインスタンス番号が付与されている場合にあっては、複製画像に対しては、複製元画像と異なる固有のインスタンス番号を付与する必要がある。
【００１２】
更に、上記放射線撮影システムにおいて、画像を複製し、複製画像を表示する場合、以下のような点に考慮する必要がある。
【００１３】
例えば、複製元画像と複製画像とを一覧表示にするにあたっては、複製元画像であるのか複製画像であるのかを判別できるようにすることが望ましい。
【００１４】
また、複製元画像と複製画像とで異なる画像処理を施すために画像を複製した場合、操作者は、ただちに複製画像の画像処理を行う運用形態となるものと考えられる。このため、画像の複製が完了した状態では、画像処理を施す対象として、複製画像が自動的に選択されていることが望ましい。
【００１５】
また、撮影画像に付帯する画像情報に基づいて、放射線量を算出し表示するにあたっては、複製画像に付帯する画像情報を除外して行う必要がある。
【００１６】
更に、放射線撮影システムの場合、撮影画像を生成した後に、再撮影が行われる場合がある。このため、複製すべき画像の中には、撮影画像に加え再撮影画像が含まれることから、再撮影画像を複製する場合の問題点も考慮に入れておく必要がある。
【００１７】
例えば、撮影プロトコルと再撮影プロトコルとが連動して動作する放射線撮影システムにおいて、再撮影によって、再撮影前の撮影画像が撮影失敗状態となり、新たに再撮影プロトコルが追加される場合について説明する。この場合、撮影画像（または再撮影画像）の複製に際しては、複製画像に紐付けられた撮影プロトコル（または再撮影プロトコル）と複製元画像に紐付けられた撮影プロトコル（または再撮影プロトコル）とが連動して動作することがないように処理すべきである。
【００１８】
このように、放射線撮影システムにおいて画像を複製するにあたっては、放射線撮影システム特有の問題点に個別に対応することで、ユーザの操作性を向上させることが必要である。
【００１９】
本発明は上記課題に鑑みてなされたものであり、放射線撮影システムにおいて、画像の複製に際して、ユーザの操作性を向上させることを目的とする。
【課題を解決するための手段】
【００２０】
上記課題を解決するために、本発明に係る放射線撮影システムは、以下のような構成を備える。即ち、
撮影プロトコルに基づいて被検者を撮影し、撮影画像を生成する放射線撮影システムであって、
生成された撮影画像を、該撮影画像の属性を示す画像情報を付帯させて記憶する記憶手段と、
前記記憶手段に記憶された撮影画像を複製する指示がなされた場合に、該撮影画像と該撮影画像に付帯する画像情報とを複製する複製手段と、
前記複製手段により複製された画像情報に含まれる各項目のうち、撮影画像ごとに異なる固有の項目について、複製された撮影画像に応じた変更を行うことで、該複製された画像情報を変更する変更手段と、を備え、
前記複製手段は、前記複製する指示がなされた撮影画像と、該撮影画像の生成に際して用いられた撮影プロトコルとの関係に応じて、該撮影画像を複製する際の該撮影プロトコルの複製方法を切り換えることを特徴とする。
【発明の効果】
【００２１】
本発明によれば、放射線撮影システムにおいて、画像の複製に際して、ユーザの操作性を向上させることが可能となる。
【図面の簡単な説明】
【００２２】
【図１】本発明の一実施形態に係るＸ線撮影システム１０１の全体構成を示す図である。
【図２】第１乃至第３の実施形態に係るＸ線撮影システム１０１におけるＸ線撮影制御部１１２の機能構成の一例を示す図である。
【図３】第１の実施形態に係るＸ線撮影システム１０１において表示部１１３に表示される画像複製前の表示画面の一例を示す図である。
【図４】第１の実施形態に係るＸ線撮影システム１０１において表示部１１３に表示される画像複製後の表示画面の一例を示す図である。
【図５】第１乃至第３の実施形態に係るＸ線撮影システム１０１のＸ線撮影装置１０７における検査処理の流れを示すフローチャートである。
【図６】第１乃至第３の実施形態に係るＸ線撮影システム１０１のＸ線撮影装置１０７における画像複製処理の流れを示すフローチャートである。
【図７】第１乃至第３の実施形態に係るＸ線撮影システム１０１のＸ線撮影装置１０７における画像情報変更処理の流れを示すフローチャートである。
【図８】第２の実施形態に係るＸ線撮影システム１０１において表示部１１３に表示される画像複製前の表示画面の一例を示す図である。
【図９】第２の実施形態に係るＸ線撮影システム１０１において表示部１１３に表示される画像複製後の表示画面の一例を示す図である。
【図１０】第３の実施形態に係るＸ線撮影システム１０１において表示部１１３に表示される画像複製前の表示画面の一例を示す図である。
【図１１】第３の実施形態に係るＸ線撮影システム１０１において表示部１１３に表示される画像複製後の表示画面の一例を示す図である。
【図１２】第４の実施形態に係るＸ線撮影システム１０１におけるＸ線撮影制御部１１２の機能構成の一例を示す図である。
【図１３】第４の実施形態に係るＸ線撮影システム１０１において表示部１１３に表示される再撮影準備前の表示画面の一例を示す図である。
【図１４】第４の実施形態に係るＸ線撮影システム１０１において表示部１１３に表示される再撮影準備後の表示画面の一例を示す図である。
【図１５】第４の実施形態に係るＸ線撮影システム１０１において表示部１１３に表示される再撮影後の表示画面の一例を示す図である。
【図１６】第４の実施形態に係るＸ線撮影システム１０１において、再撮影後に撮影失敗状態を切り替えた場合の、表示部１１３に表示される表示画面の一例を示す図である。
【図１７】第４の実施形態に係るＸ線撮影システム１０１において、再撮影画像の複製後に表示部１１３に表示される表示画面の一例を示す図である。
【図１８】第４の実施形態に係るＸ線撮影システム１０１において、再撮影画像の複製後、複製元画像または複製元画像と再撮影関係にある撮影画像の撮影失敗状態を切り替えた場合の、表示部１１３に表示される表示画面の一例を示す図である。
【図１９】第４の実施形態に係るＸ線撮影システム１０１において、再撮影画像の複製画像を撮影失敗状態に切り替えた場合に表示部１１３に表示される表示画面の一例を示す図である。
【図２０】第４の実施形態に係るＸ線撮影システムにおいて、再撮影前画像の複製後に表示部１１３に表示される表示画面の一例を示す図である。
【図２１】第４の実施形態に係るＸ線撮影システム１０１において、再撮影前の撮影画像の複製後、複製元画像または複製元画像と再撮影関係にある再撮影画像の撮影失敗状態を切り替えた場合の、表示部１１３に表示される表示画面の一例を示す図である。
【図２２】第４の実施形態に係るＸ線撮影システム１０１において、再撮影前画像の複製画像の撮影失敗状態を解除した場合に表示部１１３に表示される表示画面の一例を示す図である。
【図２３】第４の実施形態に係るＸ線撮影システム１０１のＸ線撮影装置１０７における検査処理の流れを示すフローチャートである。
【図２４】第４の実施形態に係るＸ線撮影システム１０１のＸ線撮影装置１０７における再撮影準備処理の流れを示すフローチャートである。
【図２５】第４の実施形態に係るＸ線撮影システム１０１のＸ線撮影装置１０７における撮影画像の撮影失敗状態を解除する処理の流れを示すフローチャートである。
【図２６】第４の実施形態に係るＸ線撮影システム１０１のＸ線撮影装置１０７において、再撮影後に画像を複製しない場合の処理の流れを示すフローチャートである。
【図２７】第４の実施形態に係るＸ線撮影システム１０１のＸ線撮影装置１０７において、再撮影画像を撮影失敗状態に切り替える処理の流れを示すフローチャートである。
【図２８】第４の実施形態に係るＸ線撮影システム１０１のＸ線撮影装置１０７において、再撮影後に再撮影画像を複製する場合の処理の流れを示すフローチャートである。
【図２９】第４の実施形態に係るＸ線撮影システム１０１のＸ線撮影装置１０７における画像情報変更処理の流れを示すフローチャートである。
【図３０】第４の実施形態に係るＸ線撮影システム１０１のＸ線撮影装置１０７において、再撮影後に再撮影前の撮影画像を複製する場合の処理の流れを示すフローチャートである。
【発明を実施するための形態】
【００２３】
以下、本発明の各実施形態を、図面を参照しながら詳細に説明する。なお、以下に示す各実施形態では、放射線としてＸ線を利用した撮影システムを例に挙げて説明するが、本発明に係る撮影システムにおいて利用される放射線はＸ線に限られず、例えば、電磁波やα線、β線、γ線などであってもよい。
【００２４】
［第１の実施形態］
＜１．Ｘ線撮影システムの構成＞
図１は、本発明の一実施形態に係るＸ線撮影システム１０１の全体構成を示す図である。
【００２５】
Ｘ線撮影システム１０１は、ＲＩＳ端末１０２と、ＰＡＣＳ端末１０３と、ビューワ端末１０４と、プリンタ１０５と、Ｘ線撮影装置１０７とを備える。Ｘ線撮影システム１０１を構成する各装置（１０２〜１０５、１０７）は、例えば、ネットワーク等の通信手段１０６を介して接続されている。
【００２６】
ＲＩＳ端末１０２は、放射線部門内の情報システムである。Ｘ線撮影装置１０７は、Ｘ線デジタル画像（以下、撮影画像と呼ぶ）を撮影する。ＰＡＣＳ端末１０３は、Ｘ線撮影装置１０７により撮影された撮影画像を保存・管理する。ビューワ端末１０４及びプリンタ１０５は、診断用画像を出力（表示又は印刷）する。
【００２７】
Ｘ線撮影装置１０７は、撮影プロトコルに基づいて検査（撮影）を進行する。撮影プロトコルは、撮影条件や、撮影画像に対して施す画像処理の内容等を規定する。より詳細には、撮影時や画像処理時等の各種パラメータ情報、撮影実施情報等が含まれ、さらには撮影環境情報（センサ種類、撮影姿勢等）が対応付けられている。
【００２８】
ここで、Ｘ線撮影装置１０７は、撮影部１１５と、Ｘ線発生制御部１１１と、Ｘ線撮影制御部１１２と、表示部１１３と、操作部１１４とを備える。
【００２９】
撮影部１１５は、Ｘ線管球１０８と、センサユニット１０９と、センサ１１０とを備える。ここで、Ｘ線管球１０８は、放射線発生部として機能し、被写体（すなわち、被検者）に向けてＸ線を照射する。Ｘ線発生制御部１１１は、撮影プロトコルに基づいて、Ｘ線の発生を制御する。具体的には、撮影プロトコルに対応する撮影条件（例えば、管電流、管電圧、照射時間等のパラメータ）に基づいて、Ｘ線管球１０８に電圧を印加し、Ｘ線を発生させる。
【００３０】
センサ１１０は、放射線検出部として機能し、被検者を透過したＸ線を検出する。センサユニット１０９は、センサ１１０により検出された被検者の透過Ｘ線量に相当する電荷をＡ／Ｄ変換し、それを撮影画像としてＸ線撮影制御部１１２に出力する。Ｘ線撮影制御部１１２は、撮影プロトコルに基づくＸ線撮影に関する情報処理を統括制御する。Ｘ線撮影制御部１１２では、例えば、撮影画像に対して画像処理（例えば、補正処理、階調処理、周波数処理等）を施す。画像処理は、撮影時の撮影プロトコルに対応する画像処理パラメータを用いて行われる。
【００３１】
表示部１１３は、例えば、ディスプレイ等で構成され、操作者に向けてシステム状態等を表示する。表示部１１３には、例えば、ＲＩＳ端末１０２から受信した検査情報（又は操作者が作成した検査情報）が表示される。なお、「検査情報」とは、ＨＩＳ（Ｈｏｓｐｉｔａｌ  Ｉｎｆｏｒｍａｔｉｏｎ  Ｓｙｓｔｅｍ）端末より検査指示が入力され、依頼先である放射線部門のＲＩＳ（Ｒａｄｉｏｌｏｇｙ  Ｉｎｆｏｒｍａｔｉｏｎ  Ｓｙｓｔｅｍ）に伝達された依頼情報をいう。検査情報には依頼元の部門名や、検査項目、被検者情報などが含まれる。
【００３２】
操作部１１４は、例えば、キーボードやマウス、又は各種ボタン等で構成され、操作者からの指示をＸ線撮影装置１０７内に入力する。操作部１１４では、例えば、画像複製の指示を入力する。
【００３３】
＜２．Ｘ線撮影制御部の機能構成＞
次に、図２を用いて、図１に示すＸ線撮影制御部１１２の機能構成について説明する。図２に示すように、Ｘ線撮影制御部１１２は、検査情報受信部２０１と、画像受信部２０２と、検査情報記憶部２０３とを備える。更に、画像処理部２０４と、画像複製部２０５と、画像情報変更部２０６と、複製画像判定部２０７と、放射線量合計部２０８と、検査情報出力部２０９とを備える。
【００３４】
検査情報受信部２０１は検査情報の入力を受け付ける。検査情報には、依頼元の部門名や、検査項目、被検者情報などが含まれる。検査情報はＨＩＳ端末などの外部システムから入力され、ＲＩＳ端末１０２を介して受信される。画像受信部２０２はＸ線撮影装置１０７で撮影された撮影画像を受信する。なお、撮影画像は、ネットワークを介して入力されたり、ＣＤ−ＲＯＭやＤＶＤなどのメディアを経由して入力されたりする場合もある。
【００３５】
検査情報記憶部２０３は、画像受信部２０２において入力された撮影画像を、検査情報受信部２０１において入力された検査情報と関連付けて記憶する。画像処理部２０４は、撮影プロトコルに含まれる画像処理パラメータを用いて、撮影画像に対して補正処理や階調処理、周波数処理等の画像処理を施す。
【００３６】
画像複製部２０５は、操作部１１４によって選択された画像の複製が指示された場合に、当該画像及び当該画像に付帯する画像情報の複製を行う。なお、「画像情報」とは、撮影画像の属性を示す情報をいう。画像情報変更部２０６は、画像複製部２０５により複製が行われた際に、自動的に画像情報の一部を変更する。
【００３７】
複製画像判定部２０７は、検査情報記憶部２０３に記憶されている画像が、複製画像であるかオリジナル画像であるかを、画像情報に含まれる複製状態（複製画像属性の有無）に基づいて判定する複製画像判定部である。放射線量合計部２０８は、検査情報記憶部２０３から画像情報を読み取り、それぞれの撮像画像を撮影した際に照射された放射線の線量の合計値を算出する。放射線量合計部２０８では、複製画像判定部２０７の判定結果に基づき、複製画像以外の撮影画像に付帯する画像情報に基づいて、放射線の線量の合計値を算出する。線量の合計値は検査情報記憶部２０３に記憶され、また、表示部１１３に表示される。検査情報出力部２０９は、検査情報や撮影画像を外部（ＰＡＣＳ端末１０３やビューワ端末１０４、プリンタ１０５等）に出力する。
【００３８】
＜３．撮影画像の表示画面＞
次に、撮影画像を表示する表示画面について、図３を用いて説明する。図３は、撮影画像を表示するための表示画面の一例を示す図であり、表示部１１３に表示された、画像複製前の表示画面３０１を示している。
【００３９】
図３に示すように、撮影画像を表示する表示画面３０１は、被検者情報を表示する被検者情報表示領域３０２と、撮影画像を表示するプレビュー画像表示領域３０３と、プレビュー選択された撮影画像を複製する画像複製ボタン３０４とを備える。
【００４０】
また、プレビュー選択された撮影画像の画像処理パラメータの調整を指示する画像調整ボタン３０５と、検査中の撮影画像の外部への出力を指示する出力ボタン３０６と、検査の終了を指示する検査終了ボタン３０７とを備える。更に、検査中の検査情報を示す検査情報表示領域３０８と、プレビュー選択された撮影画像を撮影する際に照射された放射線の線量を表示する線量表示部３０９と、検査全体を通して照射された放射線の線量の合計値を表示する総線量表示部３１０とを備える。
【００４１】
検査情報表示領域３０８には、複数の撮影プロトコルボタンが設けられている。撮影プロトコルボタン３１１、３２２には、それぞれ撮影画像のサムネイルを表示するサムネイル表示領域３１２、３１９と、撮影部位の名称を表示する名称表示領域３１３、３１８とが設けられている。また、撮影画像それぞれに固有に付与されるインスタンス番号を表示するインスタンス番号表示領域３１４、３２０と、複製画像であるか否かを示す識別子（図３において不図示）を表示するコピー属性表示部３２３、３２４とが設けられている。更に、撮影画像の出力結果を表示する出力結果表示部３１５、３２１が設けられている。
【００４２】
なお、撮影プロトコルボタン３１１、３２２は、撮影可能状態、撮影準備状態、撮影済み状態、プレビュー選択状態等の状態も示す。
【００４３】
その他、図３に示す表示画面には、各種システム設定を変更するために、図示しないシステム画面への遷移を指示するシステムボタン３１６と、検査中の撮影プロトコルに関するセンサの状態を示すセンサ状態表示領域３１７とが設けられている。なお、図３に示す表示画面では、文字によりセンサの状態が示されているが、例えば、ボタンの色を変えたり、アニメーション表示を行ったりするなど、ＧＵＩを用いてセンサの状態を示すようにしてもよい。
【００４４】
＜４．検査処理の流れ＞
次に、Ｘ線撮影システム１０１における検査処理の流れについて、図３及び図４を参照しながら、図５乃至図７を用いて説明する。図４は、撮影画像を表示するための表示画面の一例を示す図であり、表示部１１３に表示された、画像複製後の表示画面４０１を示している。また、図５乃至図７は、Ｘ線撮影システム１０１における検査処理の流れを示すフローチャート及び検査処理に含まれる各工程の詳細な処理の流れを示すフローチャートである。
【００４５】
図５に示すように、ステップＳ５０１では、検査情報受信部２０１が、ＲＩＳ端末１０２から（または操作者が手動で作成した）検査情報を受信する。なお、受信した検査情報は検査情報記憶部２０３に記憶される。
【００４６】
検査情報が記憶されると、ステップＳ５０２では検査が開始され、表示部１１３には、表示画面３０１が表示される。
【００４７】
ステップＳ５０３において、操作者が照射ボタンを押下すると、撮影が行われる。具体的には、撮影部１１５のＸ線管球１０８が、被検者に向けてＸ線を照射するとともに、センサ１１０が、当該被検者を透過したＸ線を検出する。この結果得られた撮影画像は画像受信部２０２が受信し、受信した撮影画像に対して、画像処理部２０４により補正処理や階調処理、周波数処理等の画像処理が施される。画像処理が施された撮影画像は検査情報と関連付けられて検査情報記憶部２０３に記憶される。
【００４８】
このとき表示画面３０１では、撮影画像及び付帯する画像情報を表示する。具体的には、撮影画像をプレビュー画像表示領域３０３に表示し、撮影画像のサムネイルを、撮影に用いた撮影プロトコルに対応する撮影プロトコルボタン３１８のサムネイル表示領域３１９に表示する。また、撮影画像固有のインスタンス番号をインスタンス番号表示領域３２０に表示する。さらに、撮影時の放射線の線量を線量表示部３０９に表示する。なお、検査全体を通して照射された放射線の線量の合計値は放射線量合計部２０８により算出され、総線量表示部３１０に表示される。
【００４９】
ステップＳ５０４では、操作者が撮影画像の出力が必要だと判断した場合に、操作部１１４を介して出力ボタン３０６を押下する。これにより、検査情報出力部２０９では検査情報記憶部２０３に記憶されている撮影画像及び付帯する画像情報を外部（ＰＡＣＳ端末１０３やビューワ端末１０４、プリンタ１０５等）へ出力する。出力に成功すると、撮影画像それぞれの出力結果が出力結果表示部３２１に表示される。図３の例では、出力が成功した撮影画像の撮影プロトコルボタン３１１、３２２に対しアイコンで出力が成功した旨の表示を行っている。
【００５０】
ステップＳ５０５では、操作者が撮影画像の複製が必要か否かを判断する。撮影画像の複製が必要でないと判断した場合には、ステップＳ５１０へ進む。一方、撮影画像の複製が必要であると判断した場合には、ステップＳ５０６へ進む。
【００５１】
ここで、撮影画像の複製が必要な場合とは、例えば、操作者がプレビュー画像表示領域３０３に表示されている撮影画像を見て、じん肺の疑いありと判断した場合等が挙げられる。この場合、操作者は、操作部１１４を介して撮影プロトコルボタン３１１を押下することにより、プレビュー画像表示領域３０３に、撮影プロトコルボタン３１１に対応する撮影画像を表示させる。なお、このとき、撮影プロトコルボタン３１１に対応する撮影画像がプレビュー選択状態であることが分かるよう、撮影プロトコルボタン３１１は強調表示される。また、線量表示部３０９にはプレビュー画像表示領域３０３に表示された撮影画像を撮影した際の線量が表示される。そして、プレビュー画像表示領域３０３に表示されている撮影画像を操作者が見て、じん肺の疑いありと判断したとする。この場合、プレビュー画像表示領域３０３に表示された撮影画像について、通常の胸部正面用画像処理が施された場合の撮影画像とじん肺用画像処理が施された場合の撮影画像とを比較するために、撮影画像の複製が必要であると判断される。
【００５２】
撮影画像の複製が必要であると判断すると、操作者は、操作部１１４を介して画像複製ボタン３０４を押下する。これにより、ステップＳ５０６では、プレビュー画像表示領域３０３に表示されている撮影画像の複製を行う。
【００５３】
ここで、ステップＳ５０６における画像複製処理について、より具体的な処理の流れを図６を用いて説明する。図６は、画像複製処理の流れを示すフローチャートである。
【００５４】
ステップＳ６０１では、画像複製部２０５が、検査情報記憶部２０３から複製元画像及び当該複製元画像に付帯する画像情報を読み取る。次にステップＳ６０２では、読み取った画像情報から複製元画像に紐付けられている撮影プロトコルのタイプを判断する。
【００５５】
図３のプレビュー画像表示領域３０３に表示されている撮影画像に紐付けられている撮影プロトコルは、撮影画像と１対１で紐付くタイプの撮影プロトコルであるため、ステップＳ６０３へ進む。
【００５６】
ステップＳ６０３では、画像複製部２０５が、複製元画像及び当該複製元画像に付帯する画像情報、ならびに複製元画像と紐付けられた撮影プロトコルを複製する。次に、ステップＳ６０６では、ステップＳ６０３における複製内容を画像情報変更部２０６へ送信する。これにより、ステップＳ５０６における画像複製処理が終了し、図５のステップＳ５０７へ進む。
【００５７】
ステップＳ５０７では、ステップＳ５０６の画像複製部２０５による画像複製処理の終了に伴い、自動的に画像情報変更部２０６による画像情報の変更処理が行われる。
【００５８】
ここで、ステップＳ５０７における画像情報変更処理について、より具体的な処理の流れを図７を用いて説明する。図７は、ステップＳ５０７の画像情報変更処理の流れを示すフローチャートである。
【００５９】
ステップＳ７０１では、画像情報変更部２０６が、ステップＳ６０６において画像複製部２０５から受信した複製画像に付帯する画像情報に対して、複製画像であること示す属性を付与する。
【００６０】
また、ステップＳ７０２では、ステップＳ６０６において画像複製部２０５から受信した画像情報のうち、出力結果情報を“未出力状態”に変更する。ステップＳ７０３では、画像情報変更部２０６が、検査情報記憶部２０３から今回の検査において生成された撮影画像及び付帯する画像情報を読み取る。
【００６１】
ステップＳ７０４では、ステップＳ６０６において画像複製部２０５から受信した複製画像、及びステップＳ７０３において読み取った撮影画像について、検査情報表示領域３０８の表示順になるようインスタンス番号を振り直す。ステップＳ７０５では、ステップＳ６０６において画像複製部２０５から受信した複製画像と、画像情報変更部２０６で変更された画像情報とを検査情報記憶部２０３へ保存する。これにより、ステップＳ５０７における画像情報変更処理が終了し、図５のステップＳ５０８に戻る。
【００６２】
ステップＳ５０８では、ステップＳ５０７の画像情報変更処理完了後に、自動的にステップＳ５０６、Ｓ５０７で処理した内容を表示部１１３へ反映させる。即ち、図４に示される画像複製後の表示画面４０１が表示される。
【００６３】
図４に示すように、画像複製後においては検査情報表示領域３０８の表示が更新される。ここで図３の撮影プロトコルボタン３１１と図４の撮影プロトコルボタン４０４とは同じ撮影プロトコルボタンである。同様に、図３の撮影プロトコルボタン３２２と図４の撮影プロトコルボタン４０６とは、それぞれ同じ撮影プロトコルボタンである。
【００６４】
ステップＳ６０３において撮影画像は撮影プロトコルごと複製されているため、結果として複製画像及び撮影プロトコルは、撮影プロトコルボタン４０５として表示されることとなる。撮影プロトコルボタン４０５は、複製元である撮影画像の撮影プロトコルボタン４０４の後に挿入される。なお、検査情報表示領域３０８の表示更新に際して、複製画像判定部２０７では、検査情報記憶部２０３に記憶されている撮影画像それぞれについて、画像情報を参照することにより、複製画像であるか否かの判定を行う。
【００６５】
ステップＳ５０６において複製された撮影画像は、ステップＳ７０１において複製画像属性が付与されているため、複製画像であると判定される。これにより検査情報表示領域３０８における、複製画像の撮影プロトコルボタン４０５のコピー属性表示部４０２には、コピーアイコンが表示される。
【００６６】
また、ステップＳ５０６において複製された撮影画像は、ステップＳ７０２において出力結果情報が未出力状態に変更されているため、出力結果表示部４０８には、複製元画像の出力結果表示部４０７に表示されたような出力完了アイコンは表示されない。
【００６７】
さらに、ステップＳ７０４においてインスタンス番号が振り直されているため、インスタンス番号表示領域４０９、４１０、４１１には、それぞれ表示順のインスタンス番号が表示される。
【００６８】
ここで、検査全体を通して照射された放射線の線量の合計値は、放射線量合計部２０８により算出され、総線量表示部４１４に表示される。ここでは、放射線量合計部２０８が、複製画像判定部２０７によって複製画像と判定された撮影画像以外の撮影画像に付帯する画像情報を用いて合計値の算出を行う。このため、複製画像を除く撮影画像を撮影した際の放射線の線量の合計値が、総線量表示部４１４に表示されることとなる。
【００６９】
ステップＳ５０８における画像表示変更処理が完了すると、ステップＳ５０９では、自動的にステップＳ５０６において複製された撮影画像の撮影プロトコルボタン４０５をプレビュー選択する。撮影プロトコルボタン４０５がプレビュー選択されると、図４に示すように、撮影プロトコルボタン４０５はプレビュー選択状態であることを示すために強調表示される。さらに、プレビュー画像表示領域４１２には撮影プロトコルボタン４０５の撮影画像、即ちステップＳ５０６で複製された撮影画像が表示される。このため、操作者は操作部１１４を介して画像調整ボタン３０５を押下するだけで、直ちに複製画像の画像調整操作に移行することができる。
【００７０】
線量表示部４１３にはプレビュー画像表示領域４１２に表示された撮影画像を撮影した際に照射された放射線の線量が表示される。具体的には、ステップＳ５０６で複製した撮影画像の複製元画像が撮影された際の放射線の線量が表示される。このため、図３の総線量表示部３１０に表示された線量の値と図４の線量表示部４１３に表示された線量の値とは、同じになる。
【００７１】
ステップＳ５１０において、操作者は操作部１１４を介して検査終了ボタン３０７を押下する。これにより、検査情報出力部２０９では、ステップＳ５０４で出力された画像情報以外の画像情報が付帯された撮影画像及びそれに付帯する画像情報を外部（ＰＡＣＳ端末１０３やビューワ端末１０４、プリンタ１０５など）に出力し、検査を終了する。
【００７２】
以上説明したように、本実施形態に係るＸ線撮影システムでは、操作者が、撮影プロトコルと１対１で紐付けられている撮影画像の複製を指示した場合に、これを判別し、以下のような処理を実行する。
・複製元画像及び当該複製元画像に付帯する画像情報、ならびに複製元画像と紐付けられた撮影プロトコルを複製する。
・出力結果の矛盾がなくなるよう、複製画像に付帯する画像情報の出力結果情報を未出力状態に変更する。
・複製画像それぞれに固有のインスタンス番号を付与する。
・複製元画像か複製画像であるか否かの区別ができるよう、複製画像であることを示すアイコンを撮影プロトコルボタンに表示する。
・複製画像に対して直ちに画像処理を行うことができるよう、画像複製後に、複製画像の撮影プロトコルボタンを、自動的にプレビュー選択する。
・実際に照射された放射線の線量と矛盾しないよう、複製画像を除く撮影画像を撮影した際の放射線量の合計値を算出する。
【００７３】
この結果、放射線撮影システムにおける撮影画像の複製に際して、放射線撮影システム特有の問題点が解決され、ユーザの操作性が向上した。
【００７４】
［第２の実施形態］
上記第１の実施形態では、撮影プロトコルが撮影画像と１対１で紐付けられた場合において、撮影画像を複製する処理について説明したが、本発明はこれに限定されない。本実施形態では、複数の撮影画像が１つの撮影プロトコルと紐付けられた場合において、当該複数の撮影画像のうちの１つの撮影画像を複製する処理について説明する。なお、本実施形態に係るＸ線撮影システムの全体構成及びＸ線撮影制御部の機能構成は、上記第１の実施形態と同様であるため、ここでは説明を省略する。
【００７５】
＜１．撮影画像の表示画面＞
はじめに、１つの撮影プロコトルに紐付けられた複数の撮影画像を表示部１１３に表示する場合の表示画面について、図８を用いて説明する。図８は、本実施形態に係るＸ線撮影システムにおいて、表示部１１３に表示される表示画面の一例を示す図であり、画像複製前の表示画面８０１を示している。なお、図８において、上記第１の実施形態の図３に示す構成と同じ構成については、同じ符号を付してある。
【００７６】
図８に示すように、表示画面８０１において、検査情報表示領域３０８には、撮影プロトコルボタン８０２が表示される。また、撮影プロトコルボタン８０２上には、当該撮影プロトコルに基づいて撮影された撮影画像のサムネイルが、サムネイル表示領域８０３、８０４に撮影順に表示される。
【００７７】
また、サムネイル表示領域８０３、８０４上のインスタンス番号表示領域８０５、８０６には、撮影画像固有のインスタンス番号が表示される。更に、撮影画像の出力結果を示すアイコンを表示する出力結果表示部８１０、８１１が表示される。
【００７８】
プレビュー画像表示領域８０７には、撮影プロトコルボタン８０２上において選択されたサムネイル表示領域（図８の例では、サムネイル表示領域８０３）の撮影画像が表示される。また、線量表示部８０８には、プレビュー画像表示領域８０７に表示された撮影画像を撮影した際に照射された放射線の線量が表示される。更に、総線量表示部８０９には、当該撮影プロコトルを用いた撮影において照射された放射線の線量の合計値が表示される。
【００７９】
＜２．検査処理の流れ＞
次に、Ｘ線撮影システム１０１における検査処理の流れについて、図８及び図９を参照しながら、図５乃至図７に基づいて説明する。
【００８０】
ステップＳ５０１では、検査情報受信部２０１が、ＲＩＳ端末１０２から（または操作者が手動で作成した）検査情報を受信する。なお、受信した検査情報は検査情報記憶部２０３に記憶される。
【００８１】
検査情報が記憶されると、ステップＳ５０２では検査が開始され、表示部１１３には、表示画面８０１が表示される。なお、本実施形態では、複数の撮影画像の生成に用いられる撮影プロトコルに対応する撮影プロトコルボタン８０２が検査情報表示領域３０８に表示される。
【００８２】
ステップＳ５０３において、操作者が照射ボタンを押下すると、撮影が行われる。具体的には、撮影部１１５のＸ線管球１０８が、被検者に向けてＸ線を照射するとともに、センサ１１０が、当該被検者を透過したＸ線を検出する。この結果得られた撮影画像は画像受信部２０２が受信し、受信した撮影画像に対して、画像処理部２０４により補正処理や階調処理、周波数処理等の画像処理が施される。画像処理が施された撮影画像は検査情報と関連付けられて検査情報記憶部２０３に記憶される。
【００８３】
このとき表示画面８０１には、撮影画像及び付帯する画像情報を表示する。具体的には、撮影画像のサムネイルを撮影プロトコルボタン８０２上のサムネイル表示領域８０３、８０４にそれぞれ撮影順に表示する。また、サムネイル表示領域８０３、８０４上のそれぞれのインスタンス番号表示領域８０５、８０６に、撮影画像固有のインスタンス番号を表示する。更に、プレビュー選択され強調表示されたサムネイル表示領域（図８の例ではサムネイル表示領域８０３）の撮影画像をプレビュー画像表示領域８０７に表示する。なお、プレビュー画像表示領域８０７に表示中の撮影画像を撮影した際に照射された放射線の線量は線量表示部８０８に表示される。また、当該撮影プロトコルに基づいて検査全体を通して照射された放射線の線量の合計値は、放射線量合計部２０８により算出され、総線量表示部８０９に表示される。
【００８４】
ステップＳ５０４では、操作者が撮影画像の出力が必要だと判断した場合に、操作部１１４を介して出力ボタン３０６を押下する。これにより、検査情報出力部２０９では検査情報記憶部２０３に記憶されている撮影画像及び付帯する画像情報を外部（ＰＡＣＳ端末１０３やビューワ端末１０４、プリンタ１０５など）へ出力する。出力に成功すると、撮影画像の出力結果が出力結果表示部８１０、８１１に表示される。図８の例では、出力が成功した撮影画像に対して、アイコンで出力が成功した旨の表示を行っている。
【００８５】
ステップＳ５０５では、操作者が撮影画像の複製が必要か否かを判断する。撮影画像の複製が必要でないと判断した場合には、ステップＳ５１０へ進む。一方、撮影画像の複製が必要であると判断した場合には、ステップＳ５０６へ進む。
【００８６】
ステップＳ５０６では、操作者が操作部１１４を介して画像複製ボタン３０４を押下する。これにより、プレビュー画像表示領域８０６で表示中の撮影画像についての複製を行う。ここで、ステップＳ５０６における画像複製処理の具体的な処理の流れを図６を用いて説明する。
【００８７】
ステップＳ６０１では、画像複製部２０５が、検査情報記憶部２０３から複製元画像及び当該複製元画像に付帯する画像情報を読み取る。次にステップＳ６０２では、読み取った画像情報から複製元画像に紐付けられている撮影プロトコルのタイプを判断する。
【００８８】
図８のプレビュー画像表示領域８０６に表示されている撮影画像に紐付けられた撮影プロトコルは、複数の撮影画像と紐付けられるタイプの撮影プロトコルであるため、ステップＳ６０４へ進む。ステップＳ６０４では、画像複製部２０５が、複製元画像及び当該複製元画像に付帯する画像情報を複製し、複製画像を複製元画像と同じ撮影プロトコルに紐付ける。図８の例では、プレビュー選択されているサムネイル表示領域８０３のサムネイルとして表示されている撮影画像を複製し、複製画像を撮影プロトコルボタン８０２に対応する撮影プロトコルに紐付ける。
【００８９】
次に、ステップＳ６０６では、ステップＳ６０４における複製内容を画像情報変更部２０６へ送信する。これにより、ステップＳ５０６における画像複製処理が終了し、図５のステップＳ５０７へ進む。
【００９０】
ステップＳ５０７では、ステップＳ５０６の画像複製部２０５による画像複製処理の終了に伴い、自動的に画像情報変更部２０６が画像情報の変更処理を行う。
【００９１】
なお、ステップＳ５０７における画像情報変更処理は、上記第１の実施形態において説明済みであるため、ここでは説明を省略する。続いて図５のステップＳ５０８へ進む。
【００９２】
ステップＳ５０８では、ステップＳ５０７における画像情報変更処理が完了した後、自動的に、ステップＳ５０６、Ｓ５０７で処理した内容を表示部１１３に反映する。これにより、図９に示される、画像複製後の表示画面９０１が表示される。
【００９３】
ステップＳ５０６、Ｓ５０７で処理した内容が反映されることで、図９に示すように、検査情報表示領域３０８の表示が更新される。ここで図８のサムネイル表示領域８０３と図９のサムネイル表示領域９０２とは同じサムネイル表示領域である。同様に図８のサムネイル表示領域８０４と図９のサムネイル表示領域９０３とは同じサムネイル表示領域である。
【００９４】
ステップＳ６０４において撮影画像が複製され、さらに複製画像が複製元画像と同じ撮影プロトコルと紐付けられたため、結果として、複製された複製画像のサムネイルは、撮影プロトコルボタン８０２のサムネイル表示領域９０４に表示されることとなる。サムネイル表示領域９０４は、複製元画像のサムネイル表示領域９０２の後に挿入される。なお、検査情報表示領域３０８の表示更新に際しては、検査情報記憶部２０３に記憶されている撮影画像それぞれに対して、複製画像判定部２０７が、複製画像であるか否かの判定を行う。
【００９５】
ステップＳ５０６において複製された撮影画像に付帯する画像情報には、ステップＳ７０１において複製画像属性が付与されているため、複製画像判定部２０７によって複製画像であると判定される。これにより検査情報表示領域３０８の複製画像のサムネイル表示領域９０４のコピー属性表示部９０５には、コピーアイコンが表示される。なお、ステップＳ５０６において複製された撮影画像は、ステップＳ７０２において出力結果情報が“未出力状態”に変更されている。このため、複製元画像の出力結果表示部９０６に表示された出力完了アイコンは、複製画像のサムネイル表示領域９０４の出力結果表示部９０７には表示されない。
【００９６】
さらに、ステップＳ７０４において撮影画像それぞれのインスタンス番号が振り直されているため、インスタンス番号表示領域９０８、９０９、９１０にはそれぞれ表示順のインスタンス番号が表示される。
【００９７】
なお、放射線量合計部２０８では、当該撮影プロトコルを用いて検査全体を通して照射された放射線の線量の合計値を算出し、当該算出した合計値を総線量表示部９１１に表示する。ただし、ここでは、複製画像判定部２０７によって複製画像と判断された撮影画像以外の撮影画像の放射線の線量を合計する。このため、総線量表示部９１９には、複製画像を除く放射線量の合計値が表示される。このため、図８の総線量表示部８０９の値と図９の総線量表示部９１１の値とは同じとなる。次にステップＳ５０９へ進む。
【００９８】
ステップＳ５０９では、ステップＳ５０８における画像表示変更処理が完了した後、自動的に、ステップＳ５０６により複製された撮影画像のサムネイル表示領域９０４が、プレビュー選択される。サムネイル表示領域９０４がプレビュー選択されると、図９に示すように、サムネイル表示領域９０４はプレビュー選択状態であることが分かるように強調表示される。さらにプレビュー画像表示領域９１２にはサムネイル表示領域９０４の撮影画像、即ちステップＳ５０６により複製された撮影画像が表示される。このため、操作者は、操作部１１４を介して画像調整ボタン３０５を押下するだけで、直ちに複製画像の画像調整操作に移行することができる。
【００９９】
なお、線量表示部９１３にはステップＳ５０６で複製した複製画像の複製元画像が撮影された際の線量が表示される。
【０１００】
次にステップＳ５１０へ進む。なお、本実施形態におけるステップＳ５１０の処理は上記第１の実施形態において説明した処理と同様であるため、ここでは説明を省略する。
【０１０１】
以上説明したように、本実施形態では、操作者が、１つの撮影プロトコルに紐付けられた複数の撮影画像のうちの、いずれかの撮影画像を複製する旨の指示を行った場合に、これを判別し、以下のような処理を実行する。
・複製元画像及び当該複製元画像に付帯する画像情報を複製し、複製元画像が紐付けられた撮影プロトコルと紐付ける。
・出力結果の矛盾がなくなるよう、複製画像に付帯する画像情報の出力結果情報を未出力状態に変更する。
・複製画像それぞれに固有のインスタンス番号を付与する。
・複製元画像か複製画像であるか否かの区別ができるよう、複製画像であることを示すアイコンを撮影プロトコルボタンに表示する。
・複製画像に対して直ちに画像処理を行うことができるよう、画像複製後に、複製画像の撮影プロトコルボタンを、自動的にプレビュー選択する。
・実際に照射された放射線の線量と矛盾しないよう、複製画像を除く撮影画像を撮影した際の放射線量の合計値を算出する。
【０１０２】
この結果、放射線撮影システムにおける画像の複製に際して、放射線撮影システム特有の問題点が解決され、ユーザの操作性が向上した。
【０１０３】
［第３の実施形態］
上記第２の実施形態では、１つの撮影プロトコルに対して複数の撮影画像が紐付けられている場合において、そのうちの１つの撮影画像を複製する処理について説明したが、本発明はこれに限定されない。本実施形態では、１つの画像に対して複数の撮影プロトコルが紐付けられている場合において、当該１つの画像を複製する処理について説明する。
【０１０４】
ここで、１つの画像に対して複数の撮影プロトコルが紐付けられている場合としては、例えば、それぞれに撮影プロトコルが紐付けられた複数の撮影画像を合成することで生成された１枚のスティッチ合成画像が挙げられる。そこで、以下、スティッチ合成画像を複製する処理について説明する。
【０１０５】
なお、本実施形態に係るＸ線撮影システムの全体構成及びＸ線撮影制御部の機能構成は、上記第１の実施形態と同様であるため、ここでは説明を省略する。
【０１０６】
＜１．撮影画像の表示画面＞
はじめに、スティッチ合成画像を表示する表示画面について、図１０を用いて説明する。図１０は、本実施形態に係るＸ線撮影システムにおいて、表示部１１３に表示される表示画面の一例を示す図であり、画像複製前の表示画面１００１を示す図である。なお、図１０において、上記第１の実施形態の図３に示す構成と同じ構成については、同じ符号を付してある。
【０１０７】
図１０に示すように、表示画面１００１において、検査情報表示領域３０８には、撮影プロトコルボタン１００２が表示される。撮影プロトコルボタン１００２上には、スティッチ合成画像を生成するための規定数の撮影画像（部分画像）のサムネイルが、部分画像サムネイル表示領域１００３、１００４に撮影順に表示される。また、規定数の部分画像を繋ぎ合わせるスティッチ合成処理が実行されることで生成されるスティッチ合成画像のサムネイルが、合成画像サムネイル表示領域１００５に表示される。
【０１０８】
更に、撮影プロトコルボタン１００２上には、スティッチ合成画像固有のインスタンス番号が、インスタンス番号表示領域１００６に表示される。また、スティッチ合成画像の出力結果を示すアイコンが出力結果表示部１０１１に表示される。なお、スティッチ再合成ボタン１０１０は、部分画像の合成位置や角度等を微調整する際に用いられるボタンである。
【０１０９】
プレビュー画像表示領域１００７には、撮影プロトコルボタン１００２上において選択されたサムネイル表示領域（図１０の例では、合成画像サムネイル表示領域１００５）の画像を表示する。また、線量表示部１００８には、プレビュー画像表示領域１００７に表示された画像を撮影した際に照射された放射線の線量が表示される。なお、図１０の例では、プレビュー画像表示領域１００７に表示されている画像はスティッチ合成画像であり、撮影により得られた撮影画像ではないため、線量表示部１００８には、線量が表示されない。総線量表示部１００９には、各部分画像を撮影する際に照射された放射線の線量の合計値が表示される。
【０１１０】
＜２．検査処理の流れ＞
次に、Ｘ線撮影システム１０１における検査処理の流れについて、図１０及び図１１を参照しながら、図５乃至図７に基づいて説明する。
【０１１１】
ステップＳ５０１では、検査情報受信部２０１が、ＲＩＳ端末１０２から（または操作者が手動で作成した）検査情報を受信する。なお、受信した検査情報は検査情報記憶部２０３に記憶される。
【０１１２】
検査情報が記憶されると、ステップＳ５０２では検査が開始され、表示部１１３には、表示画面１００１が表示される。なお、本実施形態では、表示画面１００１の検査情報表示領域３０８に、スティッチ撮影用の撮影プロトコルに対応する撮影プロトコルボタン１００２が表示される。
【０１１３】
ステップＳ５０３において、操作者が照射ボタンを押下すると、撮影が行われる。具体的には、撮影部１１５のＸ線管球１０８が、被検者に向けてＸ線を照射するとともに、センサ１１０が、当該被検者を透過したＸ線を検出する。この結果得られた撮影画像は画像受信部２０２が受信し、受信した撮影画像に対して、画像処理部２０４により補正処理や階調処理、周波数処理等の画像処理が施される。画像処理が施された撮影画像は検査情報と関連付けられて検査情報記憶部２０３に記憶される。
【０１１４】
ここで、撮影プロトコルボタン１００２は、スティッチ合成画像の撮影プロトコルボタンであるため、スティッチ合成処理に用いられる部分画像が規定数撮影される。そして、撮影された規定数の部分画像同士を繋ぎ合わせるスティッチ合成処理を行うことで、スティッチ合成画像が生成される。なお、スティッチ合成処理の過程では、各種補正処理が部分画像に施され、スティッチ合成処理が完了すると、生成されたスティッチ合成画像は検査情報記憶部２０３に記憶される。
【０１１５】
スティッチ合成画像生成後、表示画面１００１には、撮影された部分画像、スティッチ合成画像及び付帯する画像情報が表示される。具体的には、部分画像のサムネイルが、撮影プロトコルボタン１００２上の部分画像サムネイル表示領域１００３、１００４にそれぞれ撮影順に表示される。また、スティッチ合成画像のサムネイルが、合成画像サムネイル表示領域１００５に表示される。さらに、スティッチ合成画像固有のインスタンス番号がインスタンス番号表示領域１００６に表示される。
【０１１６】
更に、プレビュー選択され強調表示された合成画像サムネイル表示領域のスティッチ合成画像がプレビュー画像表示領域１００７に表示される。なお、線量表示部１００８には、プレビュー画像表示領域１００７に表示中の撮影画像を撮影する際に照射された放射線の線量が表示されるが、図１０の例においてプレビュー画像表示領域１００７に表示された画像はスティッチ合成画像である。つまり、撮影により得られた撮影画像ではないため、線量表示部１００８には線量の表示が行われない。一方、検査全体を通して照射された放射線の線量の合計値は、放射線量合計部２０８により算出され、総線量表示部１００９に表示される。
【０１１７】
ここで、ステップＳ５０３の処理により、撮影プロトコルボタン１００２が表示された状態において、操作者がスティッチ合成画像の再合成が必要だと判断した場合には、当該操作者は操作部１１４を介してスティッチ再合成ボタン１０１０を押下する。これにより、図示しないスティッチ再合成処理へと遷移し、操作者は、部分画像の合成位置や角度を微修正することができる。
【０１１８】
ステップＳ５０４では、操作者が画像の出力が必要だと判断した場合に、当該操作者が操作部１１４を介して出力ボタン３０６を押下する。これにより、検査情報出力部２０９では検査情報記憶部２０３に記憶されているスティッチ合成画像、部分画像及び付帯する画像情報を外部（ＰＡＣＳ端末１０３やビューワ端末１０４、プリンタ１０５など）に出力する。出力に成功すると、出力結果が出力結果表示部１０１１に表示される。図１０の例では、出力が成功したスティッチ合成画像に対しアイコンで出力が成功した旨の表示を行っている。
【０１１９】
ステップＳ５０５では、操作者がスティッチ合成画像の複製が必要か否かを判断する。スティッチ合成画像の複製が必要でないと判断した場合には、ステップＳ５１０へ進む。スティッチ合成画像の複製が必要であると判断した場合にはステップＳ５０６へ進む。
【０１２０】
ステップＳ５０６において、操作者は操作部１１４を介して画像複製ボタン３０４を押下することにより、プレビュー画像表示領域１００７で表示中のスティッチ合成画像を複製する。ここで、ステップＳ５０６における画像複製処理についての具体的な処理の流れを図６を用いて説明する。
【０１２１】
ステップＳ６０１では、画像複製部２０５が、検査情報記憶部２０３から複製元画像であるスティッチ合成画像、部分画像、部分画像に付帯する画像情報を読み取る。次にステップＳ６０２では、読み取った画像情報から複製元画像に紐付けられている撮影プロトコルのタイプを判断する。
【０１２２】
図１０のプレビュー画像表示領域１００７に表示されている画像の撮影プロトコルは、スティッチ撮影用の撮影プロトコルであるため、ステップＳ６０５へ進む。ステップＳ６０５では、画像複製部２０５が、撮影プロトコルに紐付いている全ての部分画像及び付帯する画像情報、スティッチ合成画像、さらに撮影プロトコルをまとめて複製する。具体的には、部分画像サムネイル表示領域１００３、１００４の部分画像及びそれぞれの画像情報及び撮影プロトコル、合成画像サムネイル表示領域１００５のスティッチ合成画像を複製する。
【０１２３】
次にステップＳ６０６では、ステップＳ６０５における複製内容を画像情報変更部２０６へ送信する。これにより、ステップＳ５０６における画像複製処理が終了し、図５のステップＳ５０７へ進む。
【０１２４】
ステップＳ５０７では、ステップＳ５０６において画像複製部２０５による画像複製処理が終了したことに伴い、自動的に画像情報変更部２０６が画像情報変更処理を行う。なお、ステップＳ５０７における画像情報変更処理は、上記第１の実施形態において説明済みであるため、ここでは説明を省略する。続いて図５のステップＳ５０８へ進む。
【０１２５】
ステップＳ５０８では、ステップＳ５０７における画像情報変更処理が完了した後、自動的に、ステップＳ５０６、Ｓ５０７で処理した内容を表示部１１３に反映させる。これにより、図１１に示される画像複製後の表示画面１１０１が表示される。
【０１２６】
図１１に示すように、ステップＳ５０６、Ｓ５０７で処理した内容が反映されることで、検査情報表示領域３０８の表示が更新される。ここで図１０の撮影プロトコルボタン１００２と図１１の撮影プロトコルボタン１１０２とは同じ撮影プロトコルボタンである。
【０１２７】
ステップＳ６０５において、部分画像と、スティッチ合成画像と、撮影プロトコルの全てが複製されたため、結果として複製された部分画像、スティッチ合成画像、及び撮影プロトコルが撮影プロトコルボタン１１０３として表示される。
【０１２８】
図１１に示すように、撮影プロトコルボタン１１０３は複製元の撮影プロトコルボタン１１０２の後に挿入される。なお、検査情報表示領域３０８の表示更新時に、複製画像判定部２０７では、検査情報記憶部２０３に記憶されているスティッチ合成画像に対し、複製画像であるか否かの判断を行う。ステップＳ５０６において複製されたスティッチ合成画像は、ステップＳ７０１において複製画像属性が付与されているため、複製画像であると判断される。このため、検査情報表示領域３０８の撮影プロトコルボタン１１０３のコピー属性表示部１１０４には、コピーアイコンが表示される。
【０１２９】
また、ステップＳ５０６において複製されたスティッチ合成画像は、ステップＳ７０２において出力結果情報が未出力状態に変更されている。このため、複製元画像の撮影プロトコルボタン１１０２の出力結果表示部１１０５に表示されている出力完了アイコンは、複製画像の撮影プロトコルボタン１１０３の出力結果表示部１１０６には表示されない。
【０１３０】
さらに、ステップＳ７０４においてスティッチ合成画像それぞれのインスタンス番号が振り直されたため、インスタンス番号表示領域１１０７、１１０８にはそれぞれ表示順のインスタンス番号が表示される。
【０１３１】
なお、放射線量合計部２０８では、検査全体を通して照射された放射線の線量の合計値を算出し、その合計値を総線量表示部１１０９に表示するが、合計値の算出に際しては、複製画像判定部２０７によって複製画像と判断された画像以外の画像を対象に行う。このため、複製画像を除く放射線量の合計値が算出され、総線量表示部１１０９に表示される。この結果、図１０の総線量表示部１００９の線量の合計値と図１１の総線量表示部１１０９の線量の合計値とは、同じとなる。次にステップＳ５０９へ進む。
【０１３２】
ステップＳ５０９では、ステップＳ５０８における処理が完了した後、自動的にステップＳ５０６において複製したスティッチ合成画像の撮影プロトコルボタン１１０３をプレビュー選択する。撮影プロトコルボタン１１０３がプレビュー選択されると、図１１に示すように撮影プロトコルボタン１１０３は、プレビュー選択状態であることが分かるよう強調表示される。さらにプレビュー画像表示領域１１１０には撮影プロトコルボタン１１０３のスティッチ合成画像、即ちステップＳ５０６で複製されたスティッチ合成画像が表示される。このため、操作者は、操作部１１４を介して画像調整ボタン３０５を押下するだけで、直ちに複製画像の画像調整処理を行うことができる。また、操作者は操作部１１４を介してスティッチ再合成ボタン１１１１を押下するだけで、直ちに図示しないスティッチ再合成処理に遷移し、部分画像の合成位置や角度を微修正することができる。
【０１３３】
なお、線量表示部１１１２には、プレビュー画像表示領域１１１０に表示中の撮影画像について、撮影時に照射された放射線の線量が表示されるが、図１１の例においてプレビュー画像表示領域１１１０に表示されている画像はスティッチ合成画像である。つまり、撮影により得られた撮影画像ではないため、線量表示部１１１２には線量が表示されない。
【０１３４】
次にステップＳ５１０へ進む。なお、ステップＳ５１０における処理は、上記第１の実施形態において説明済みであるため、ここでは説明を省略する。
【０１３５】
以上説明したように、本実施形態にＸ線撮影システムによれば、操作者がスティッチ合成画像の複製を指示した場合に、これを判別し、以下のような処理を実行する。
・複製元画像である部分画像、スティッチ合成画像、及び部分画像に付帯する画像情報及び部分画像に紐付けられた撮影プロトコルの複製を行う。
・出力結果の矛盾がなくなるよう、複製画像に付帯する画像情報の出力結果情報を未出力状態に変更する。
・スティッチ合成画像それぞれに固有のインスタンス番号を付与する。
・複製元画像か複製画像であるかの区別ができるよう、複製画像であることを示すアイコンを表示する。
・実際に照射された放射線の線量と矛盾しないよう、複製画像を除く撮影画像を撮影した際の放射線量の合計値を算出する。
・複製画像に対して直ちに画像処理を行うことができるよう、画像複製後に、複製画像の撮影プロトコルボタンを自動的にプレビュー選択する。
【０１３６】
この結果、放射線撮影システムにおけるスティッチ合成画像の複製に際して、放射線撮影システム特有の問題点が解決され、ユーザの操作性が向上した。
【０１３７】
［第４の実施形態］
上記第１乃至第３の実施形態では、放射線撮影システムにおける撮影が成功したことを前提として、各種処理を実行するケースについて説明したが、本発明はこれに限定されない。例えば、放射線撮影システムにおける撮影が失敗し、再撮影を行った場合においても同様に各種処理を実行することが可能である。以下、本実施形態では、撮影の成否に応じた処理の詳細について説明する。なお、本実施形態に係るＸ線撮影システムの全体構成は、上記第１の実施形態と同様であるため、ここでは説明は省略する。
【０１３８】
＜１．Ｘ線撮影制御部の機能構成＞
はじめに、図１２を用いて、本実施形態に係るＸ線撮影システム１０１のＸ線撮影制御部１１２の機能構成について説明する。なお、図１２に示す各機能のうち、上記第１の実施形態において図２を用いて説明した機能と同様の機能については、同じ参照番号を付してある。
【０１３９】
図１２において、１２０１は実施中の検査に新たに撮影プロトコルを追加する撮影プロトコル追加部である。１２０２は実施中の検査から未撮影の撮影プロトコルを削除する撮影プロトコル削除部である。１２０３は撮影画像に付帯する画像情報において、成否状態を撮影失敗状態へと設定変更する撮影失敗状態変更部である。１２０４は撮影画像に付帯する画像情報において、成否状態に設定されている撮影失敗状態を解除する撮影失敗状態解除部である。
【０１４０】
１２０５は再撮影関係設定部であり、再撮影前の撮影に用いた撮影プロトコルと再撮影に用いた再撮影プロトコルとを、再撮影関係として設定する。１２０６は再撮影プロトコル管理部である。再撮影プロトコル管理部１２０６では、撮影画像の撮影プロトコルに再撮影関係設定部１２０５により再撮影関係が設定された再撮影プロトコルがあった場合、再撮影関係にある再撮影プロトコルの削除を指示したり、画像情報の成否状態の変更を指示したりする。
【０１４１】
＜２．検査処理の流れ＞
次に、Ｘ線撮影システム１０１における検査処理の流れについて、図１３〜図２２に示す表示画面を参照しながら、図２３乃至図３０に基づいて説明する。
【０１４２】
図２３に示すように、ステップＳ２３０１では、検査情報受信部２０１が、ＲＩＳ端末１０２から（または操作者が手動で作成した）検査情報を受信する。なお、受信した検査情報は検査情報記憶部２０３に記憶される。
【０１４３】
検査情報が記憶されると、ステップＳ２３０２では検査が開始され、表示部１１３には、表示画面１３０１が表示される。なお、本実施形態では、撮影画像と１対１で紐付くタイプの撮影プロトコルに対応する撮影プロトコルボタン１３０２が検査情報表示領域３０８に表示されるものとする。
【０１４４】
ステップＳ２３０３において、操作者が照射ボタンを押下すると、撮影が行われる。具体的には、撮影部１１５のＸ線管球１０８が、被検者に向けてＸ線を照射するとともに、センサ１１０が、当該被検者を透過したＸ線を検出する。この結果得られた撮影画像は画像受信部２０２が受信し、受信した撮影画像に対して、画像処理部２０４により補正処理や階調処理、周波数処理等の画像処理が施される。なお、画像処理が施された撮影画像は、検査情報と関連付けられて検査情報記憶部２０３に記憶される。
【０１４５】
このとき表示画面１３０１では、撮影画像及び付帯する画像情報を表示する。具体的には、撮影画像をプレビュー画像表示領域１３０３に表示するとともに、撮影画像のサムネイルを撮影プロトコルボタン１３０２のサムネイル表示領域１３１１に表示する。また、撮影画像固有のインスタンス番号をインスタンス番号表示領域１３０４に表示する。さらに撮影時の放射線の線量を線量表示部１３０５に表示し、検査全体を通して照射された放射線の線量の合計値を放射線量合計部２０８が算出し、総線量表示部１３０６に表示する。
【０１４６】
ここで、操作者がプレビュー画像表示領域１３０３に表示されている撮影画像を確認し、再撮影が必要だと判断すると、当該操作者は、操作部１１４を介して再撮影ボタン１３０７を押下し、再撮影準備を指示する。これにより、ステップＳ２３０４では、再撮影準備処理を行う。ここで、ステップＳ２３０４における再撮影準備処理の具体的な処理の流れを図２４を用いて説明する。
【０１４７】
ステップＳ２４０１では、撮影失敗状態変更部１２０３が、プレビュー画像表示領域１３０３に表示されている撮影画像、即ち撮影プロトコルボタン１３０２に対応する撮影画像に付帯する画像情報の成否状態を撮影失敗状態に設定変更する。
【０１４８】
次にステップＳ２４０２では、撮影プロトコル追加部１２０１が、ステップＳ２４０１で撮影失敗状態に変更された撮影画像を撮影した際の撮影プロトコルと同じ撮影プロトコルを再撮影プロトコルとして追加する。
【０１４９】
次にステップＳ２４０３では、再撮影関係設定部１２０５が、ステップＳ２４０１で撮影失敗状態に変更された撮影画像の撮影プロトコルと、ステップＳ２４０２で追加された再撮影プロトコルとを再撮影関係として設定する。これにより、ステップＳ２３０４における再撮影準備の処理が終了する。
【０１５０】
このときステップＳ２３０４による処理内容が表示部１１３に反映され、図１４に示す表示画面１４０１が表示部１１３に表示される。なお、図１４に示す構成のうち、図１３と同じ構成については、同じ参照符号を付してある。
【０１５１】
ステップＳ２４０１において撮影プロトコルボタン１３０２に対応する撮影画像が撮影失敗状態に変更されたため、撮影失敗状態を示すアイコンが撮影プロトコルボタン１３０２のサムネイル表示領域１４０２に表示される。
【０１５２】
また、ステップＳ２４０２において追加された再撮影プロトコルボタン１４０３が検査情報表示領域３０８に表示され、さらに撮影準備状態であることが分かるよう再撮影プロトコルボタン１４０３が強調表示される。また、再撮影プロトコルボタン１４０３が撮影準備状態になったことを受けて、図１３のセンサ状態表示領域１３０８では非準備状態が表示されていたところ、図１４のセンサ状態表示領域１４０４では、撮影準備状態が表示されることとなる。
【０１５３】
ステップＳ２３０５では、操作者が再撮影の要否を判断する。ステップＳ２３０５において、操作者がステップＳ２３０４における再撮影準備を取り止めると判断した場合には、ステップＳ２３０６に進む。一方、再撮影を実行すると判断した場合にはステップＳ２３０７に進む。
【０１５４】
ステップＳ２３０６において再撮影準備を取り止めると判断した場合の具体的な処理の流れを図２５を用いて説明する。
【０１５５】
ステップＳ２５０１において、操作者がプレビュー画像表示領域１３０３の撮影画像を再確認した結果、実は再撮影の必要がなかったと判断したとする。この場合、操作者は操作部１１４を介して撮影失敗解除ボタン１３１０を押下し、撮影失敗状態解除指示を行う。これにより、撮影失敗状態解除部１２０４では、撮影プロトコルボタン１３０２に対応する撮影画像に付帯する画像情報の成否状態に設定された撮影失敗状態を解除する。
【０１５６】
ステップＳ２５０２では、再撮影プロトコル管理部１２０６が、ステップＳ２５０１における撮影失敗状態解除処理を受けて、撮影失敗状態が解除された撮影画像の撮影プロトコルに、再撮影関係にある撮影プロトコルがあるか否かを判断する。ここでは、ステップＳ２４０３において、再撮影プロトコルボタン１４０３に対応する再撮影プロトコルが再撮影関係として設定されているため、ステップＳ２５０３へ進む。
【０１５７】
ステップＳ２５０３では、再撮影プロトコルの撮影状態を判断する。このとき、再撮影プロトコルボタン１４０３に対応する再撮影プロトコルに基づく再撮影は行われていないため、ステップＳ２５０４へ進む。
【０１５８】
ステップＳ２５０４では、再撮影プロトコル管理部１２０６が撮影プロトコル削除部１２０２に再撮影プロトコルボタン１４０３の削除を指示する。撮影プロトコル削除部１２０２では再撮影プロトコルボタン１４０３に対応する再撮影用プロコトルを削除し、ステップＳ２３０５における再撮影準備を取り止める処理を終了する。このときステップＳ２３０５による処理内容が表示部１１３に反映され、表示画面１４０１から表示画面１３０１に戻る。
【０１５９】
表示画面１３０１に示すように、ステップＳ２５０１において撮影プロトコルボタン１３０２に対応する撮影画像の撮影失敗状態が解除されたため、サムネイル表示領域１４０２にあった撮影失敗状態を示すアイコンは非表示になる。また、ステップＳ２５０４において再撮影プロトコルボタン１４０３に対応する再撮影プロトコルが削除されたため、再撮影プロトコルボタン１４０３も削除される。ステップＳ２３０６の処理終了後は、ステップＳ２３１２へ進む。
【０１６０】
次に、ステップＳ２３０５からステップＳ２３０７へ進む場合の処理の流れについて説明する。
【０１６１】
ステップＳ２３０７では、再撮影プロトコルボタン１４０３を用いて、ステップＳ２３０３の撮影処理と同様に再撮影処理を行う。なお、ステップＳ２３０７における再撮影処理は、表示部１１３への表示内容以外はステップＳ２３０３と同様であるため、ここでは説明を省略する。
【０１６２】
ステップＳ２３０７における再撮影処理後、再撮影画像及び付帯する画像情報を表示部１１３へ表示する。図１５は、ステップＳ２３０７における再撮影処理後に表示部１１３に表示される表示画面の一例を示す図である。
【０１６３】
図１５に示すように、再撮影処理後は再撮影画像がプレビュー画像表示領域１５０２に表示され、再撮影画像のサムネイルが再撮影プロトコルボタン１５０３のサムネイル表示領域１５０４に表示される。また、再撮影画像固有のインスタンス番号がインスタンス番号表示領域１５０５に表示される。さらに再撮影時に照射された放射線の線量が線量表示部１５０６に表示される。更に、検査全体を通して照射された放射線の線量の合計値が放射線量合計部２０８により算出され、総線量表示部１５０７に表示される。
【０１６４】
なお、図１４の再撮影プロトコルボタン１４０３と図１５の再撮影プロトコルボタン１５０３とは同じである。ただし、再撮影プロトコルボタン１５０３の場合、対応する再撮影画像がプレビュー画像表示領域１５０２に表示されており、再撮影プロトコルボタン１５０３は、プレビュー選択状態であることが分かるよう強調表示されている。
【０１６５】
また、再撮影が完了し検査情報表示領域３０８に撮影準備状態の撮影プロトコルボタンが存在しなくなったため、センサ状態表示領域１５０８は非準備状態表示に戻る。次にステップＳ２３０８へ進む。
【０１６６】
ステップＳ２３０８において、操作者が再撮影画像を複製する必要がないと判断した場合には、ステップＳ２３０９へ進む。一方、再撮影画像を複製する必要があると判断した場合には、ステップＳ２３１０へ進む。一方、ステップＳ２３０４による再撮影準備により撮影失敗状態が設定された撮影画像を複製する必要があると判断した場合には、ステップＳ２３１１へ進む。
【０１６７】
ステップＳ２３０９における具体的な処理の流れを図２６を用いて説明する。ステップＳ２６０１において、操作者は再撮影画像の成否を確認し、再撮影画像について何も問題ないと判断した場合には、そのままステップＳ２３０９の処理を終了する。
【０１６８】
一方、ステップＳ２３０７における再撮影により得られた再撮影画像よりも、ステップＳ２３０３における撮影により得られた撮影画像の方が診断に相応しいと判断した場合には、以下に示す２通りの処理のいずれかが実行される。ひとつはステップＳ２６０２へ進み、ステップＳ２３０３における撮影により得られた撮影画像、即ち再撮影前の撮影画像の撮影失敗状態を解除する処理である。また、もうひとつはステップＳ２６０３へ進み、ステップＳ２３０７における再撮影により得られた再撮影画像を撮影失敗状態へと設定変更する処理である。
【０１６９】
ステップＳ２６０２における具体的な処理の流れを図２５を用いて説明する。ステップＳ２５０１において、操作者は操作部１１４を介して撮影プロトコルボタン１３０２を押下することで、撮影プロトコルボタン１３０２をプレビュー選択状態にする。さらに撮影失敗解除ボタン１３１０を押下し、撮影失敗状態解除指示を行う。これにより、撮影失敗状態解除部１２０４では、ステップＳ２３０３における撮影により得られた撮影画像、即ち撮影プロトコルボタン１３０２に対応する撮影画像に付帯する画像情報の成否状態に設定された撮影失敗状態を解除する。
【０１７０】
ステップＳ２５０２では、再撮影プロトコル管理部１２０６が、ステップＳ２５０１の撮影失敗状態解除処理を受けて、ステップＳ２５０１で撮影失敗状態が解除された撮影画像の撮影プロトコルと再撮影関係にある撮影プロトコルがあるか否かを判断する。ここでは、ステップＳ２４０３において再撮影関係が設定された、再撮影プロトコルボタン１５０３に対応する再撮影プロトコルがあるため、ステップＳ２５０３へ進む。
【０１７１】
ステップＳ２５０３では再撮影プロトコルの撮影状態を判断する。再撮影プロトコルボタン１５０３の再撮影プロトコルは、ステップＳ２３０７において再撮影済みであるため、ステップＳ２５０５へ進む。
【０１７２】
ステップＳ２５０５では、再撮影プロトコル管理部１２０６が、撮影失敗状態変更部１２０３に再撮影画像の成否状態を撮影失敗状態に設定変更するよう指示する。これにより、撮影失敗状態変更部１２０３では、再撮影プロトコルボタン１５０３に対応する再撮影画像に付帯する画像情報の成否状態を撮影失敗状態に設定変更し、ステップＳ２６０２における処理を終了する。
【０１７３】
このときステップＳ２６０２による処理内容が表示部１１３に反映され、図１６に示す表示画面１６０１が表示部１１３に表示される。なお、図１６に示す構成のうち、図１３、図１５と同じ構成については同じ参照符号を付してある。
【０１７４】
図１６に示すように、ステップＳ２５０１において撮影画像の撮影失敗状態が解除されたため、図１４及び図１５のサムネイル表示領域１４０２に表示されていた撮影失敗状態を示すアイコンは、図１６におけるサムネイル表示領域１６０２には表示されない。また、ステップＳ２５０５において再撮影プロトコルボタン１５０３に対応する再撮影画像が撮影失敗状態に設定変更されたため、図１６において再撮影プロトコルボタン１５０３のサムネイル表示領域１６０３には、撮影失敗状態を示すアイコンが表示される。
【０１７５】
次に、ステップＳ２６０３における具体的な処理の流れについて図２７を用いて説明する。ステップＳ２７０１において、操作者は操作部１１４を介して再撮影プロトコルボタン１５０３を押下することで、再撮影プロトコルボタン１５０３をプレビュー選択状態にする。さらに撮影失敗ボタン１３０９を押下し撮影失敗状態への設定変更を指示することにより、撮影失敗状態変更部１２０３が、ステップＳ２３０７における再撮影により得られた再撮影画像に付帯する画像情報の成否状態を撮影失敗状態に設定変更する。
【０１７６】
次に、ステップＳ２７０２では、再撮影プロトコル管理部１２０６が、ステップＳ２７０１において撮影失敗状態に設定変更された再撮影画像の撮影プロトコルに、再撮影関係にある撮影プロトコルがあるか否かを判断する。ここでは、ステップＳ２４０３において再撮影関係が設定された、撮影プロトコルボタン１３０２に対応する撮影プロトコルがあるため、ステップＳ２７０３に進む。
【０１７７】
ステップＳ２７０３では、再撮影プロトコル管理部１２０６が、撮影失敗状態解除部１２０４に再撮影前の撮影画像、即ち撮影プロトコルボタン１３０２に対応する撮影画像の撮影失敗状態を解除するよう指示する。これにより、撮影失敗状態解除部１２０４では、撮影プロトコルボタン１３０２に対応する撮影画像の撮影失敗状態を解除し、ステップＳ２６０３における処理を終了する。
【０１７８】
このときステップＳ２６０３による処理内容が表示部１１３に反映され、図１６に示す表示画面１６０１が表示部１１３に表示される。図１６に示すように、ステップＳ２７０１において再撮影プロトコルボタン１５０３に対応する再撮影画像が撮影失敗状態に変更されたため、再撮影プロトコルボタン１５０３のサムネイル表示領域１６０３には、撮影失敗状態を示すアイコンが表示される。また、ステップＳ２７０３において撮影プロトコルボタン１３０２に対応する撮影画像の撮影失敗状態が解除されたため、図１４、図１５のサムネイル表示領域１４０２にあった撮影失敗状態を示すアイコンは、サムネイル表示領域１６０２には表示されない。
【０１７９】
ステップＳ２６０２またはＳ２６０３の処理が終了するとステップＳ２３０９の処理が終了し、ステップＳ２３１２へ進む。
【０１８０】
次に、ステップＳ２３１０における具体的な処理の流れを図２８を用いて説明する。ステップＳ２８０１において、操作者が操作部１１４を介して画像複製ボタン３０４を押下することにより、再撮影プロトコルボタン１５０３に対応する再撮影画像の複製が行われる。なお、ステップＳ２８０１における画像複製処理の具体的な処理の流れは上記第１の実施形態の図６、即ちステップＳ６０３を経由する処理の流れと同様であるため、ここでは説明を省略する。
【０１８１】
ステップＳ２８０２では、画像情報の変更処理を行う。図２９は、画像情報の変更処理の流れを示すフローチャートである。なお、図２９に示すフローチャートのうち、ステップＳ２９０１、Ｓ２９０２、Ｓ２９０４〜Ｓ２９０６に示す処理は、それぞれ、図７のステップＳ７０１〜Ｓ７０５に示す処理と同様であるため、ここでは説明を省略する。
【０１８２】
ステップＳ２９０３では、画像情報変更部２０６が、ステップＳ６０６において画像複製部２０５から受信した複製画像に付帯する画像情報から、再撮影関係設定部１２０５により設定された再撮影関係情報を削除する。このとき、ステップＳ２８０１、Ｓ２８０２の処理内容が表示部１１３に反映され、図１７に示す表示画面１７０１が表示部１１３に表示される。なお、図１７に示す構成のうち、図１３及び図１５と同じ構成については同じ参照符号を付してある。
【０１８３】
図１７に示すように、ステップＳ２８０１において複製された再撮影画像及び再撮影プロトコルは、再撮影プロトコルボタン１７０２として表示される。また、複製画像のサムネイルはサムネイル表示領域１７０３に表示され、ステップＳ２９０５でセットされたインスタンス番号はインスタンス番号表示領域１７０４に表示される。更に、複製画像判定部２０７により複製画像であると判定されるため、再撮影プロトコルボタン１７０２のコピー属性表示部１７０５には、コピーアイコンが表示される。
【０１８４】
なお、検査全体を通して照射された放射線の線量は、放射線量合計部２０８により合計値が算出され、総線量表示部１７０６に表示される。ここで、放射線量合計部２０８は、複製画像判定部２０７によって複製画像と判定された撮影画像以外の撮影画像の放射線量の合計値を算出する。算出された合計値は総線量表示部１７０６に表示される。ステップＳ２８０２の処理が終了するとステップＳ２８０３に進む。
【０１８５】
ステップＳ２８０３において、操作者はそれぞれの撮影画像の成否を確認する。何も問題ないと判断した場合は、そのままステップＳ２３１０の処理を終了する。一方、ステップＳ２３０７において再撮影することにより得られた再撮影画像よりも、ステップＳ２３０３において撮影された撮影画像の方が診断に相応しいと判断した場合には、以下に示す３通りの処理のいずれかが実行される。
【０１８６】
ひとつはステップＳ２８０４へ進み、ステップＳ２３０３において撮影された撮影画像、即ち、再撮影前の撮影画像の撮影失敗状態を解除する処理である。また、他のひとつはステップＳ２８０５へ進み、ステップＳ２３０７において再撮影された再撮影画像を撮影失敗状態にする処理である。更に、残りのひとつは、ステップＳ２８０６において、ステップＳ２８０１で複製した再撮影画像を撮影失敗状態にする処理である。
【０１８７】
ステップＳ２８０４における処理の流れは、図２６のステップＳ２６０２と同様であるため、ここでは説明を省略する。但し、ステップＳ２６０２の具体的な処理の流れを説明する図２５のステップＳ２５０２では、ステップＳ２３０３において撮影された撮影画像に再撮影関係が設定された撮影プロトコルがあるか否かを判断している。しかし、ここでは、図２６のステップＳ２６０２とは異なる処理が実行される。つまり、ステップＳ２９０３において複製画像の再撮影関係情報が削除されているため、ステップＳ２５０５で撮影失敗状態に変更されるのは複製元の再撮影画像、即ち再撮影プロトコルボタン１５０３に対応する再撮影画像のみである。このため、ステップＳ２８０１で複製した再撮影画像が撮影失敗状態に変更されることはない。
【０１８８】
ステップＳ２８０４の処理内容は表示部１１３に反映され、図１８に示す表示画面１８０１が表示部１１３に表示される。なお、図１８に示す構成のうち、図１３、図１５、図１７と同じ構成については同じ参照符号を付してある。
【０１８９】
図１８に示すように、ステップＳ２５０１において撮影画像の撮影失敗状態を解除しているため、撮影プロトコルボタン１３０２のサムネイル表示領域１４０２にあった撮影失敗状態アイコンは、サムネイル表示領域１８０２では非表示となる。また、ステップＳ２５０５において再撮影プロトコルボタン１５０３に対応する再撮影画像を撮影失敗状態に変更しているため、再撮影プロトコルボタン１５０３のサムネイル表示領域１８０３には、撮影失敗状態アイコンが表示される。
【０１９０】
一方、再撮影プロトコルボタン１７０２に対応する再撮影画像は、再撮影プロトコルボタン１５０３に対応する再撮影画像の複製画像である。しかし、ステップＳ２９０３において再撮影関係情報が削除されているため、ステップＳ２５０５では成否状態が撮影失敗状態に設定変更されない。このため、再撮影プロトコルボタン１７０２のサムネイル表示領域１８０４には撮影失敗状態アイコンが表示されない。
【０１９１】
次に、ステップＳ２８０５について説明する。ステップＳ２８０５における処理の流れは、図２６のステップＳ２６０３と同様である。ステップＳ２８０５の処理内容は表示部１１３に反映され、図１８に示す表示画面１８０１が表示部１１３に表示される。なお、図１８に示す構成のうち、図１３、図１５、図１７と同じ構成については同じ参照符号を付してある。
【０１９２】
図１８に示すように、ステップＳ２７０１において再撮影プロトコルボタン１５０３に対応する再撮影画像が撮影失敗状態に変更されているため、再撮影プロトコルボタン１５０３のサムネイル表示領域１８０３には、撮影失敗状態アイコンが表示される。また、ステップＳ２７０３において再撮影画像の撮影失敗状態を解除しているため、撮影プロトコルボタン１３０２のサムネイル表示領域１４０２にあった撮影失敗状態アイコンは、サムネイル表示領域１８０２では非表示となる。
【０１９３】
一方、再撮影プロトコルボタン１７０２に対応する再撮影画像は、ステップＳ２８０５の処理の流れで何も影響を受けない。このため、撮影失敗状態に変更されることはなく、再撮影プロトコルボタン１７０２のサムネイル表示領域１８０４には、撮影失敗状態アイコンは表示されない。
【０１９４】
次に、ステップＳ２８０６における具体的な処理の流れを図２７を用いて説明する。ステップＳ２７０１において、操作者は操作部１１４を介して再撮影プロトコルボタン１７０２を押下することで、再撮影プロトコルボタン１７０２をプレビュー選択状態にする。さらに撮影失敗ボタン１３０９を押下し撮影失敗状態変更指示を行う。これにより、撮影失敗状態変更部１２０３では、ステップＳ２８０１で複製された再撮影画像、即ち再撮影プロトコルボタン１７０２に対応する再撮影画像を撮影失敗状態に設定変更する。
【０１９５】
ステップＳ２７０２では、再撮影プロトコル管理部１２０６が、ステップＳ２７０１において成否状態の撮影失敗状態が設定変更された再撮影画像の撮影プロトコルに、再撮影関係にある撮影プロトコルがあるか否かを判断する。
【０１９６】
再撮影プロトコルボタン１７０２に対応する再撮影画像は、ステップＳ２９０３において再撮影関係情報が削除されているため、ステップＳ２７０２では、再撮影関係にある撮影プロトコルはないと判断され、ステップＳ２８０６における処理が終了する。このとき、ステップＳ２８０６の処理内容は表示部１１３に反映され、図１９に示す表示画面１９０１が表示部１１３に表示される。なお、図１９に示す構成のうち、図１３、図１５、図１７と同じ構成については同じ参照符号を付してある。
【０１９７】
図１９に示すように、ステップＳ２７０１において再撮影プロトコルボタン１７０２に対応する再撮影画像を撮影失敗状態に設定変更しているため、サムネイル表示領域１９０２には、撮影失敗状態アイコンが表示される。一方、撮影プロトコルボタン１３０２に対応する撮影画像と再撮影プロトコルボタン１５０３に対応する再撮影画像は、ステップＳ２８０６の処理の流れで何も影響を受けていないため成否状態が変更されることはない。このため、撮影プロトコルボタン１３０２のサムネイル表示領域１９０３と再撮影プロトコルボタン１５０３のサムネイル表示領域１９０４上の撮影失敗状態アイコンの表示または非表示状態は、図１７に示す表示画面１７０１と同じとなる。
【０１９８】
ステップＳ２８０４、Ｓ２８０５、Ｓ２８０６の処理が終了するとステップＳ２３１０の処理が終了し、ステップＳ２３１２へ進む。
【０１９９】
次に、ステップＳ２３１１における具体的な処理の流れを図３０を用いて説明する。ステップＳ３００１において、操作者は、操作部１１４を介して撮影プロトコルボタン１３０２を押下することにより、撮影プロトコルボタン１３０２をプレビュー選択状態にする。さらに画像複製ボタン３０４を押下することにより、撮影プロトコルボタン１３０２の撮影画像を複製する。ステップＳ３００１における画像複製処理についての具体的な処理の流れは、上記第１の実施形態の図６、即ちステップＳ６０３を経由する処理の流れと同様であるため、ここでは説明を省略する。また、ステップＳ３００２における具体的な処理の流れはステップＳ２８０２と同様であるため、ここでは説明を省略する。
【０２００】
ステップＳ３００１、Ｓ３００２における処理内容は、表示部１１３に反映され、図２０に示す表示画面２００１が表示部１１３に表示される。なお、図２０の構成のうち、図１３、図１４、図１５と同じ構成については同じ参照符号を付してある。
【０２０１】
図２０に示すように、ステップＳ３００１において複製された撮影画像及び撮影プロトコルは撮影プロトコルボタン２００２として表示される。また、複製画像のサムネイルはサムネイル表示領域２００３に表示される。撮影プロトコルボタン２００２の撮影画像の複製元画像は、撮影失敗状態の撮影画像であるため、当該撮影画像の複製に際しては、撮影失敗状態も複製される。このため、サムネイル表示領域２００３には撮影失敗状態アイコンが表示される。
【０２０２】
また、ステップＳ２９０５でリセットされたインスタンス番号は、撮影プロトコルボタン１３０２、２００２、再撮影プロトコルボタン１５０３それぞれのインスタンス番号表示領域２００４、２００５、２００６に表示される。また、複製画像は、複製画像判定部２０７により複製画像と判定されるため、撮影プロトコルボタン２００２のコピー属性表示部２００７には、コピーアイコンが表示される。
【０２０３】
なお、検査全体を通して照射された放射線の線量は、放射線量合計部２０８により合計値が算出され、総線量表示部２００８に表示される。なお、放射線量合計部２０８では、複製画像判定部２０７によって複製画像と判定された撮影画像以外の撮影画像の放射線量を合計値として算出する。このため、複製画像を除く放射線量が合計され、総線量表示部２００８に表示されることとなる。ステップＳ３００２の処理が終了するとステップＳ３００３に進む。
【０２０４】
ステップＳ３００３において、操作者はそれぞれの撮影画像の成否を確認する。何も問題ないと判断した場合にはそのままステップＳ２３１１における処理を終了する。
【０２０５】
一方、ステップＳ２３０７において再撮影された再撮影画像よりもステップＳ２３０３において撮影された撮影画像の方が診断に相応しいと判断した場合には、以下に示す３通りの処理のうちのいずれかが実行される。
【０２０６】
ひとつはステップＳ３００４へ進み、ステップＳ２３０３において撮影された撮影画像、即ち再撮影前の撮影画像の撮影失敗状態を解除する処理である。また、他のひとつはステップＳ３００５へ進み、ステップＳ２３０７において再撮影された再撮影画像を撮影失敗状態にする処理である。更に、残りのひとつは、ステップＳ３００６に進み、ステップＳ３００１で複製された撮影画像の撮影失敗状態を解除する処理である。
【０２０７】
ステップＳ３００４における処理の流れは図２６のステップＳ２６０２と同様であるため、ここでは説明を省略する。なお、ステップＳ３００４における処理内容は、表示部１１３に反映され、図２１に示す表示画面２１０１が表示部１１３に表示される。なお、図２１に示す構成のうち、図１３、図１５、図２０と同じ構成については同じ参照符号を付してある。
【０２０８】
図２１に示すように、ステップＳ２５０１において撮影画像の撮影失敗状態が解除されているため、撮影プロトコルボタン１３０２のサムネイル表示領域１４０２にあった撮影失敗状態アイコンは、サムネイル表示領域２１０２では非表示となる。また、ステップＳ２５０５において再撮影プロトコルボタン１５０３に対応する再撮影画像は撮影失敗状態に設定変更されているため、再撮影プロトコルボタン１５０３のサムネイル表示領域２１０３には、撮影失敗状態アイコンが表示される。
【０２０９】
一方、撮影プロトコルボタン２００２に対応する撮影画像は撮影プロトコルボタン１３０２に対応する撮影画像の複製であるが、ステップＳ３００４の処理では、何も影響を受けていないため、撮影失敗状態は解除されない。このため、撮影プロトコルボタン２００２のサムネイル表示領域２１０４は、図２０のサムネイル表示領域２００３と同じとなる。
【０２１０】
ステップＳ３００５における処理の流れは図２６のステップＳ２６０３と同様であるため、ここでは説明を省略する。但し、ステップＳ２６０３の具体的な処理の流れを説明する図２７のステップＳ２７０２では、ステップＳ２３０７において撮影された撮影画像の撮影プロトコルに再撮影関係の撮影プロトコルがあるか否かを判断している。しかし、ここでは図２６のステップＳ２６０３とは異なる処理が実行される。
【０２１１】
すなわち、ステップＳ２９０３において複製画像の再撮影関係情報が削除されているため、ステップＳ２７０３で撮影失敗状態が解除されるのは複製元である再撮影前の撮影画像、即ち撮影プロトコルボタン１３０２に対応する撮影画像のみである。このため、ステップＳ３００１で複製した撮影画像の撮影失敗状態が解除されることはない。ステップＳ３００５における処理内容は表示部１１３に反映され、図２１に示す表示画面２１０１が表示部１１３に表示される。なお、図２１に示す構成のうち、図１３、図１５、図２０と同じ構成については同じ参照符号を付してある。
【０２１２】
図２１に示すように、ステップＳ２７０１において再撮影画像は撮影失敗状態に設定変更されているため、再撮影プロトコルボタン１５０３のサムネイル表示領域２１０３には撮影失敗状態アイコンが表示される。また、ステップＳ２７０３において撮影画像の撮影失敗状態が解除されているため、撮影プロトコルボタン１３０２のサムネイル表示領域１４０２にあった撮影失敗状態アイコンは、撮影プロトコルボタン１３０２のサムネイル表示領域２１０２では非表示となる。
【０２１３】
一方、撮影プロトコルボタン２００２に対応する撮影画像は撮影プロトコルボタン１３０２に対応する撮影画像の複製であるが、ステップＳ２９０３において再撮影関係情報が削除されているため、ステップＳ２７０３では撮影失敗状態は解除されない。このため、撮影プロトコルボタン２００２のサムネイル表示領域２１０４は、図２０のサムネイル表示領域２００３と同じとなる。
【０２１４】
ステップＳ３００６における具体的な処理の流れを図２５を用いて説明する。ステップＳ２５０１において、操作者は操作部１１４を介して撮影プロトコルボタン２００２を押下し、撮影プロトコルボタン２００２をプレビュー選択状態にする。さらに撮影失敗解除ボタン１３１０を押下し、撮影失敗状態解除指示を行う。これにより、撮影失敗状態解除部１２０４では、ステップＳ３００１で複製された撮影画像、即ち撮影プロトコルボタン２００２に対応する撮影画像の撮影失敗状態を解除する。
【０２１５】
ステップＳ２５０２では、再撮影プロトコル管理部１２０６が、ステップＳ２５０１において撮影失敗状態が解除された撮影画像の撮影プロトコルと再撮影関係にある撮影プロトコルがあるか否かを判断する。撮影プロトコルボタン２００２に対応する撮影画像はステップＳ２９０３において再撮影関係情報が削除されているため、再撮影関係にある撮影プロトコルはないと判断され、ステップＳ３００６における処理を終了する。
【０２１６】
このときステップＳ３００６における処理内容は表示部１１３に反映され、図２２に示す表示画面２２０１が表示部１１３に表示される。なお、図２２に示す構成のうち図１３、図１５、図２０と同じ構成については同じ参照符号を付してある。
【０２１７】
図２２に示すように、ステップＳ２５０１において撮影画像の撮影失敗状態が解除されているため、撮影プロトコルボタン２００２のサムネイル表示領域２００３にあった撮影失敗状態アイコンは、図２２のサムネイル表示領域２２０２では非表示となる。一方、撮影プロトコルボタン１３０２に対応する撮影画像と再撮影プロトコルボタン１５０３に対応する再撮影画像は、ステップＳ３００６の処理の流れで何も影響を受けていないので成否状態は変更されない。このため、撮影プロトコルボタン１３０２のサムネイル表示領域２２０３と再撮影プロトコルボタン１５０３のサムネイル表示領域２２０４上の撮影失敗状態アイコンの表示または非表示は、図２０と同じとなる。
【０２１８】
ステップＳ３００４、Ｓ３００５、Ｓ３００６の処理が終了すると、ステップＳ２３１１の処理が終了し、ステップＳ２３１２へ進む。なお、ステップＳ２３１２における処理は上記第１の実施形態におけるステップＳ５１０の処理と同様であるため、ここでは説明を省略する。
【０２１９】
以上説明したように、本実施形態では、再撮影前の撮影画像または再撮影された再撮影画像のいずれかを複製した場合に、以下のような処理を実行する。
・複製元画像の成否状態の変更に連動することなく、複製画像の成否状態を個別に設定する。
・複製画像の成否状態の変更に連動することなく、複製元画像の成否状態を個別に設定する。
【０２２０】
この結果、再撮影された際に、再撮影前の撮影画像または再撮影された再撮影画像の複製を行うにあたり、放射線撮影システム特有の問題点が解決され、ユーザの操作性が向上した。
【０２２１】
［他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014083123.tif 000003
【図２】
2014083123.tif 000004
【図３】
2014083123.tif 000005
【図４】
2014083123.tif 000006
【図５】
2014083123.tif 000007
【図６】
2014083123.tif 000008
【図７】
2014083123.tif 000009
【図８】
2014083123.tif 000010
【図９】
2014083123.tif 000011
【図１０】
2014083123.tif 000012
【図１１】
2014083123.tif 000013
【図１２】
2014083123.tif 000014
【図１３】
2014083123.tif 000015
【図１４】
2014083123.tif 000016
【図１５】
2014083123.tif 000017
【図１６】
2014083123.tif 000018
【図１７】
2014083123.tif 000019
【図１８】
2014083123.tif 000020
【図１９】
2014083123.tif 000021
【図２０】
2014083123.tif 000022
【図２１】
2014083123.tif 000023
【図２２】
2014083123.tif 000024
【図２３】
2014083123.tif 000025
【図２４】
2014083123.tif 000026
【図２５】
2014083123.tif 000027
【図２６】
2014083123.tif 000028
【図２７】
2014083123.tif 000029
【図２８】
2014083123.tif 000030
【図２９】
2014083123.tif 000031
【図３０】
2014083123.tif 000032